(57)【要約】【課題】  複数の電気コードの余剰部分を容易に収容し、収容後に美観を損なうことのないコード整理具を提供する。【解決手段】  円柱状の立体構造体１の外表面において、電気コードを嵌め込むための複数の溝部２，３が形成され、複数の溝部２，３には、第一の深さを有する第一溝部２と、第一の深さとは深さが異なる第二の深さを有する第二溝部３とが含まれるとともに、それら第一溝部２と第二溝部３とが互いに交差するようにして形成されており、複数の溝部２，３に対しそれぞれの溝方向に沿って電気コード１００，２００を嵌め込んだ場合に、深さの異なる溝部の交差部分４において電気コード１００，２００が立体交差して収容される。【選択図】  図５
2007131367.tif 000002
【特許請求の範囲】
【請求項１】
立体構造体の外表面において、電気コードを嵌め込んで収納する複数の溝部が形成され、複数の前記溝部には、第一の深さを有する第一溝部と、前記第一の深さとは深さが異なる第二の深さを有する第二溝部とが含まれ、かつそれら第一溝部と第二溝部とが互いに交差するようにして形成されており、
前記第一溝部に嵌め込まれた電気コードと前記第二溝部に嵌め込まれた電気コードとが、これら溝部の交差部分において立体交差して収納されることを特徴とするコード整理具。
【請求項２】
前記立体構造体は柱状をなし、
前記溝部は、前記立体構造体の第一側の端部から第二側の端部に向けて予め定められた経路に沿って形成されている請求項１記載のコード整理具。
【請求項３】
前記溝部は、前記立体構造体の前記第一側の端部から第二側の端部にかけて連続して表れる外周側面において、前記第一側の端部から前記第二側の端部にかけて連続して形成される請求項２記載のコード整理具。
【請求項４】
前記立体構造体の前記外周側面は、滑らかに連続する面をなす請求項３記載のコード整理具。
【請求項５】
前記立体構造体は、前記第一側の端部及び前記第二側の端部が円形に表れる円柱状をなす請求項４記載のコード整理具。
【請求項６】
前記溝部には、前記立体構造体の前記外周側面において、前記第一側の端部から前記第二側の端部にかけて直線状に延び、前記外周側面の周方向に連続的に複数形成され、かつ他の溝部とは深さが異なる直線溝部が含まれる請求項３ないし請求項５のいずれか１項に記載のコード整理具。
【請求項７】
前記溝部には、前記立体構造体の前記外周側面において、前記第一側の端部から前記第二側の端部にかけて非直線状に延び、他の溝部とは深さが異なる非直線溝部が含まれる請求項２ないし請求項５のいずれか１項に記載のコード整理具。
【請求項８】
前記非直線溝部には、前記第一側の端部から前記第二側の端部にかけて前記外周側面を螺旋状に延びる螺旋溝部が含まれる請求項７記載のコード整理具。
【請求項９】
前記螺旋溝部を前記第一溝部とし、前記第二溝部として前記第一溝部とは螺旋方向が逆方向をなす螺旋溝部を備える請求項８記載のコード整理具。
【請求項１０】
前記溝部には、前記第一側の端部から前記第二側の端部に向けて前記外周側面を螺旋状に延びる第一の螺旋溝部と、その第一の螺旋溝部とは深さが異なり、かつ螺旋方向が逆方向の第二の螺旋溝部と、前記第一側の端部から前記第二側の端部に向けて直線状に延び、前記第一の螺旋溝部及び前記第二の螺旋溝部よりも深い直線溝部とが含まれる請求項２ないし請求項５のいずれか１項に記載のコード整理具。
【請求項１１】
前記溝部は、溝奥側がコード収納部として形成され、そのコード収納部の外側には、該コード収納部に収納された電気コードが外側に外れることを防ぐようにストッパー部が形成されている請求項１ないし請求項１０のいずれか１項に記載のコード整理具。
【請求項１２】
前記立体構造体全体が絶縁性高分子材料で形成されてなる請求項１ないし請求項１１のいずれか１項に記載のコード整理具。
【発明の詳細な説明】
【技術分野】
【０００１】
本発明は、配線コードを収納するコード整理具に関する。
【背景技術】
【０００２】
日常生活において使用される電気製品は、家庭用電源に対して電力を求めるための電気コードを比較的長めに備えている。また、こうした電気コードの余剰部分をコード未使用時に収納して整理する道具として、例えば、絶縁性樹脂からなるベルト等がある。また、特許文献１のようなコード巻き取り器等もある。
【０００３】
【特許文献１】特開２００２−２３４７８２号
【発明の開示】
【発明が解決しようとする課題】
【０００４】
ところが、上記のベルトによって、コード類を束ねる作業は思った以上に面倒な作業であるし、乱雑に束ねられた際には美観を損なう可能性があった。また、上記のコード巻き取り器の場合は、複数のコードを収納した際に、コードの判別ができなくなり、場合によってはコードが絡まって外し難くなることも考えられる。また、コードの重なり部分が多くなる可能性があるため、コードを収納した状態でコードに電気を通すことは想定されていない。
【０００５】
本発明は、上記課題に鑑みてなされたものであり、複数の電気コードの余剰部分を容易に収納し、かつ絡まることなく容易に取り外すことが可能であるとともに、収納後に美観を損なうことのないコード整理具を提供するものである。
【課題を解決するための手段及び発明の効果】
【０００６】
上記課題を解決するために、本発明のコード整理具は、立体構造体の外表面において、電気コードを嵌め込んで収納する複数の溝部が形成され、複数の前記溝部には、第一の深さを有する第一溝部と、前記第一の深さとは深さが異なる第二の深さを有する第二溝部とが含まれ、かつそれら第一溝部と第二溝部とが互いに交差するようにして形成されており、前記第一溝部に嵌め込まれた電気コードと前記第二溝部に嵌め込まれた電気コードとが、これら溝部の交差部分において立体交差して収納されることを特徴とする。
【０００７】
上記構成をなす本発明のコード整理具は、異なる深さの複数の溝部（第一溝部と第二溝部）に対して、それぞれ異なるコードを収納することで、複数のコードを収納可能となっている。複数のコードを収納する場合は、深い溝部から順にコードを嵌め込むことで、異なるコードが溝部の交差部分で立体交差する形で収納されるため、コード同士の重なり部分で一方のコードが盛り上がったりすることなく、スムーズに収納することができる。また、コードの取り外しについては、嵌め込まれたコードの重なりからコードの内外の区別は容易に付くため、その最も外側のコードから順に外していけば絡まることはなく容易に取り外すことができる。また、立体構造体の外表面には、複数の溝部あるいはそれらの溝部に収納されたコードが模様として表れるため、独特な意匠性を備えたコード整理具となる。なお、本発明のコード整理具は、複数のコードを収納可能としているが、一本のコードのみを収納することもできる。例えば、極めて長いコードを、深い溝部から浅い溝部へと順に嵌め込んで収納することも可能である。
【０００８】
本発明のコード整理具は、上記の立体構造体を柱状とし、前記溝部を、前記立体構造体の第一側の端部から第二側の端部に向けて予め定められた経路に沿って形成することができる。ここで「溝部を予め定められた経路に沿って形成する」との記載には、溝部が予め定められた経路に沿って一続きに連続形成されるもののみならず、溝部が予め定められた経路に沿って断続的に形成されるものも含む。上記構成によれば、溝部は連続するようにして形成されるため、コードに余計なストレスを加えることなくスムーズに収納することができる。また、上記構成によれば、上側から延びてくるコードを、柱状構造体の第一側端部側から第二側端部に向けて、溝にコードを嵌め込み、第二側端部に設けられる溝部の端部から残りのコードを垂らす形でコードを収納することができる。これにより、柱状構造体の第一側端部が上に、第二側端部が下に位置するように配置して、嵌め込まれたコードによって本発明のコード整理具を吊った状態で室内に配置することができる。このコード整理具は、上記したように複数の溝部あるいはそれらの溝部に収納されたコードが模様として表れるため、室内に吊り下げて配置することで、室内の装飾品として飾ることもできる。もちろん、床面上に横に倒して使用することもできる。また、溝部が、柱状構造体の第一側の端部から第二側の端部に向けて連続するように形成されるから、溝部の深さの違いだけでなく、それら端部の一方側から溝部の道筋をたどることで、複数ある溝部を容易に区別することができ、ひいてはそれらの溝部に収納されたコードの区別も容易となる。また、溝部が形成される経路を、溝部同士が隣接しないように設けられることで、コードを収納した際に、コード同士が接触することがなくなる。これにより、コード同士の接触部分（重なり部分）が最低限に抑えられるため放熱性にも優れ、コードを収納した状態で配線コードに電気を通すことも可能となる。
【０００９】
本発明のコード整理具の前記溝部は、前記立体構造体の前記第一側の端部から第二側の端部にかけて連続して表れる外周側面において、前記第一側の端部から前記第二側の端部にかけて連続して形成することができる。溝部が一続きに連続して形成されれば、収納されるコードは外部に露出することがないため、外部からの機械的衝撃から保護される。また、コードの重なりは立体交差部分のみとなり、他の部分でコード同士の接触や重なりがなくなるから、放熱性に優れ、コードを収納した状態で配線コードに電気を通すことも可能となる。
【００１０】
本発明のコード整理具では、立体構造体の外周表面は、滑らかに連続する面とすることができる。この場合、外周表面は、角部の存在しない滑らかな連続面として形成されるため、溝部に嵌め込まれるコードが外周表面の角部に接触して傷が生じることを防ぐことができる。
【００１１】
また、この柱状の立体構造体の具体的な形状としては、例えば、第一側の端部及び第二側の端部が円形に表れる円柱状や、あるいは円錐台状等とすることができる。溝部は、ひと続きの溝部の深さを一定とした方が容易に形成できる。ところが、例えば立体構造体が多角柱等である場合には、外周表面には角部が形成されるから、溝部の内面にも外周表面に応じた角部が形成されてしまい、収納したコードに溝内の角部によって傷が生じる可能性がある。立体構造体が、円柱状や、あるいは円錐台状であれば、その外周表面は滑らかな連続面として形成されるため、溝部の内面にはコードを傷つける角部が形成されない。
【００１２】
本発明のコード整理具の溝部には、前記立体構造体の前記外周表面において、前記第一側の端部から前記第二側の端部にかけて直線状に延び、前記外周表面の周方向に連続的に複数形成される直線溝部を含むことができる。この直線溝部に余剰コードを収納する場合には、まず、直線溝部を一つ選択してコードの余剰部分を嵌め込み、この状態でコードに更なる余剰部分がある場合には、溝部の端部からはみ出たコードを折り返し、さらに別の直線溝部を選択して折り返された先のコードを嵌め込んでいき、溝の端部からはみ出るコードの長さが必要な短さになるまでこれを繰り返す。これにより、コードの余剰部分を効率的に収納できるとともに、コードの折り返し部分に関しては、溝部による拘束を受けないため、コードに過剰なストレスを与えることなく余裕を持って折り返すことができる。折り曲げ部にまた、一本のコードを直線溝部を使用して収納した後、未使用の直線溝部が存在する場合には、未使用の直線溝部を使って別のコードを収納することも可能となる。また、上記構成をなすことで、コード整理具の外周表面には、直線溝部あるいはその溝部に収納されるコードによって直線状の模様が表れる。
【００１３】
本発明のコード整理具では、前記立体構造体の前記外周表面において、前記第一側の端部から前記第二側の端部にかけて非直線状に延び、他の溝部とは深さが異なる非直線溝部を含むことができる。非直線状に溝部が形成されることで、溝部の長さをより長く取ることができるから、柱状構造体の外周表面の限られたスペースを有効に利用して余剰コードを収納することができる。また、立体構造体の外周表面には、立体構造体の第一側端部から第二側端部に向けて延びる一筆書きの溝模様が表れるため、意匠性にも優れる。この非直線溝部の具体的な形状としては、前記非直線溝部を、前記第一側の端部から前記第二側の端部にかけて前記外周表面を螺旋状に延びる螺旋溝部がある。この場合、立体構造体の外周表面には、溝部による螺旋模様が表れる。
【００１４】
さらに、上記螺旋溝部を有する本発明のコード整理具では、上記の螺旋溝部を上記第一溝部とし、上記第二溝部として第一溝部とは螺旋回転方向が逆方向をなす螺旋溝部を備えることができる。この場合、時計回り方向に連続する第一の螺旋溝部と反時計回りに連続する第二の螺旋溝部とを備えるため、立体構造体の外表面の限られたスペースをより有効に利用することができる。また、深さと螺旋回転方向との双方が異なる第一の螺旋溝部及び第二の螺旋溝部を備える場合には、必ずそれらの溝部の交差部分が形成される。その交差部分では、コードを立体交差させる形で収納することができるから、それぞれの溝部に収納されるコードが絡まることはない。また、上記構成をなすことで、立体構造体の外周表面には、溝部あるいはその溝部に収納されるコードによる、交差する螺旋模様が表れる。
【００１５】
上記螺旋溝部を有する本発明のコード整理具の溝部には、柱状構造体の外周表面において、第一側の端部から第二側の端部に向けて外周表面を螺旋状に延びる第一の螺旋溝部と、その第一の螺旋溝部とは深さが異なり、かつ螺旋方向が逆方向の第二の螺旋溝部と、第一側の端部から第二側の端部に向けて直線状に延び、第一の螺旋溝部及び第二の螺旋溝部よりも深い直線溝部とを備えることができる。上述した直線溝部と第一の螺旋溝部と第二の螺旋溝部との三種の溝部を備えることで、コードの収納に様々なバリエーションが生まれる。さらに、外周表面には、これらの溝部あるいはその溝部に収納されるコードによって、交差する二つの螺旋模様と、さらにその螺旋模様と交差する直線模様とが表れる独特の模様が形成される。また、螺旋溝部に収納されるコードは、柱状構造体の外周面に巻き付く形で螺旋溝部に収納されるから、収納後は比較的外れ難くなっており、直線状溝部は、単純に溝部に嵌め込まれているだけであるから、螺旋溝部に比べれば外れ易い。ところが、上記構成によると、直線溝部の深さが他の螺旋溝部よりも深く形成されており、螺旋溝部に収納されるコードは、直線溝部と螺旋溝部の立体交差部分において直線溝部に収納されるコードを外側から被い、外側に外れないように拘束する。このため、外部からの衝撃を受けた場合にも、直線溝部に収納されるコードは外れ難い。
【００１６】
本発明のコード整理具の溝部は、溝奥側がコード収納部として形成され、そのコード収納部の外側には、電気コードが該コード収納部から外側に外れることを防ぐようにストッパー部が形成されていてもよい。これにより、溝部に収納されたコードを外れないようにすることができる。ストッパー部は、例えば、溝部のコード収納部に挿入されたコードが外側に出ることを妨げる突出部として形成することができる。このとき、少なくともこの突出部を弾性変形可能な部材で形成することで、溝部にコードを収納する際には、突出部を弾性変形させることでコードの出し入れが容易にできる。なお、突出部を含む柱状構造体全体を弾性変形可能な部材で形成してもよい。なお、深さの異なる溝部が複数形成され、特に最も深さの浅い溝部が螺旋溝部として形成されているような場合には、少なくともその最外周の螺旋溝部に上記の突出部が形成されていれば、それよりも深い溝部に収納されるコードは、最も浅い螺旋溝部に巻き付けられたコードによって縛り付けられる形で拘束され、固定されるから、それ以外の溝部には必ずしも突出部が形成される必要はない。
【００１７】
本発明のコード整理具は、柱状構造体全体を絶縁性高分子材料で形成することができる。電気コードは一般的に絶縁体で被覆されているため十分安全であるといえるが、万が一に備えてコード整理具自体も絶縁性を有することで安全面がより確保される。
【発明を実施するための最良の形態】
【００１８】
以下、本発明のコード整理具の第一の実施例を、図面を用いて説明する。図１は、本発明コード整理具の斜視図であり、図２は、その平面図及び正面図を示している。図１のコード整理具１０は、全体が弾性変形可能でかつ絶縁性の高い高分子材料、例えば、天然ゴムや合成ゴム、プラスチック等の、市販電源コードと同等、あるいはそれ以上の電気絶縁性を備えた材料にて形成されている。コード整理具１０の本体部をなす円柱状の立体構造体（以下、円柱状構造体という）１は、上面（第一側の端部）１ａと、下面（第二側の端部）１ｂと、それら上面１ａから下面１ｂにかけて連続する外周表面１ｃとが外表面として表れる形状をなす。また、この外周表面１ｃには、上面１ａから下面１ｂにかけて連続して形成される直線溝部２及び螺旋溝部３が形成されている。直線溝部２は、外周表面１ｃの周方向に対し等間隔に４つ形成されている。直線溝部２及び螺旋溝部３は、互いの溝の深さが異なっており、その深さの差が、少なくとも嵌め込まれる電気コードの厚みより大きくなるように形成されている。本実施例では、直線溝部２のほうが深く形成されている。なお、本発明においては、コードを収納する溝部同士が予め定められた間隔で互いに離れた位置に形成されるため、コードの重なり部分は溝部の交差部分以外に、コード同士が接触して重なることがないため放熱性に優れるから、コードを溝部に収納した状態でもコンセントを家庭用電源に差し込んでコードに電気を通すことが可能である。また、本発明において溝部に嵌め込まれるコードは、電気コードに限られず、他のコード、例えば、ＵＳＢケーブルや一般的な配線コード等とすることも可能である。
【００１９】
図３は、図２のＡ−Ａ断面拡大図である。図３に示すように、直線溝部２は、コードを収納するコード収納部２ｅと、円柱状構造体１の外側からコード収納部２ｅにコードを収納するための通路となるコード嵌込口部２ｆと、コード収納部２ｅに嵌め込まれたコードがコード嵌込口部２ｆ側（外側）に外れないように固定するコード固定部（ストッパー部）２ｄとからなる。コード収納部２ｅは、断面円形状に形成され、その円形断面外側には開口が形成されている。その開口は、コード収納部２ｅの円形断面に沿う形で突出する突出部（コード固定部２ｄ）間の隙間として形成されて、その開口幅は、コード収納部２ｅの直径よりも小さくなるように形成されている。
【００２０】
図４は、図２のＢ−Ｂ断面拡大図である。図４に示すように、螺旋溝部３は、コードを収納するコード収納部３ｅと、その外側に設けられてコード収納部３ｅに嵌め込まれたコードが外側に外れないように固定するコード固定部（ストッパー部）３ｄとからなる。コード収納部３ｅは、直線溝部２の嵌込部２ｆと同様の深さで、かつ断面略円形状に形成され、その外側には開口が形成されている。その開口は、コード収納部３ｅの略円形の断面に沿う形で突出する突出部（コード固定部３ｄ）間の隙間として形成されて、その開口幅は、コード収納部３ｅの直径よりも小さくなるように形成されている。螺旋溝部３は、直線溝部２に対してコード嵌込口部２ｆが存在しない分、浅く形成されている。
【００２１】
このように、本実施例における溝部には、溝部の長さ方向に対する垂直断面が円形状をなすコード収納部が形成され、その外側には、溝部の長さ方向に沿った開口が形成されるとともに、その開口を形成する両端部が、コード収納部の円形断面に沿う形で形成されてコード固定部をなしている。コードを収納する場合には、コード収納部２ｅ，３ｅにコードが位置するように溝部２，３にコードが嵌め込まれる。なお、本発明におけるコード固定部（ストッパー部）は、少なくともコード収納部に嵌め込まれたコードが外れないように防ぎ、かつコードをコード収納部に嵌め込むことが可能な構造とされていれば特に限定はない。例えば、コード固定部が上記形状をなし、本体とは異なる弾性変形可能な材料で構成されていてもよく、さらに言えば、このコード固定部のみが弾性変形可能な材料で形成されてさえいれば、本体は特に弾性変形可能な材料で形成しなくともよい。また、コード収納部は、その形状には特に限定はなく、少なくともコードを収納可能に形成されていればよいのであり、例えばコードの形状に応じて形成することができる。
【００２２】
また、上述のような溝部２，３が形成されることで、本発明のコード整理具１０には、それらの溝部２，３が互いに交差する交差部分４が存在する。この交差部分の存在により、異なる溝部２，３にコードを収納した際に、溝部２，３の交差部分４においてコードが立体交差する形で収納されるため、それぞれの溝部２，３に収納されたコードが絡むことがない。
【００２３】
図５は、本実施例のコード整理具１０の使用状態を説明する図である。以下、このコード収納具の使用方法について説明する。図５に示すように、本発明のコード整理具１０は、各溝部２，３の上端側開口２ａ、３ａ側からコードを嵌め込む（本明細書において使用される「嵌め込む」という言葉は、特に断りがない限りにおいては、コード嵌込口部を介してコード収納部にコードを収納することを意味している）形で収納し、図５のように溝部に嵌め込んだコードによってコード整理具１０全体を吊り下げて、室内等に配置することができる。なお、本発明のコード整理具の使用方法としては、特に吊り下げ型に限られるものではなく、例えば床等の平面上に置いて使用してもよい。
【００２４】
直線溝部２へのコードの収納方法について説明する。余剰部分を有するコード１００について、まずは、その余剰部分を直線溝部２の溝に沿って上端側開口２ａから下端側開口２ｂに向けて嵌め込み、下端側開口２側でコード１００を折り返す（コード折り返し部分１００ａ）。次に、先に嵌め込んだ溝部に隣接する直線溝部に対し、今度は下端側開口２ｂから上端側開口２ａに向けて溝に沿ってコード１００を嵌め込む。この場合、さらにコードの余剰部分が存在するので、その余剰部分を折り返して（コード折り返し部分１００ｂ）、さらに隣の直線溝部に対し、上端側開口２ａから下端側開口２ｂに向けて溝に沿って嵌め込む。つまり、コード１００を直線溝部に嵌め込み、さらにコードの余剰部分が存在する場合には、折り返して別の直線溝部に嵌め込む形でコードを収納する。この場合、コードの折り返し部分１００ａ，１００ｂは直線溝部２に嵌め込まれないため、折り返し部分１００ａ，１００ｂに過剰なストレスが加わることなく余裕を持って折り返すことができる。コードに過剰なストレスが加わると、発熱や断線を引き起こす可能性もあるが、ここではこれらを防ぐことが可能となっている。なお、上端側開口２ａ側あるいは下端側開口２ｂ側で折り返されたコードは、必ずしも同じ端部開口側から直線溝部に嵌め込んでいく必要はない。
【００２５】
螺旋溝部３へのコードの収納方法について説明する。螺旋溝部３の場合は、余剰部分を有するコード２００を螺旋状の溝に沿ってその上端側開口３ａから下端側開口３ｂに向けて嵌め込む。この螺旋状をなす溝部３は、コードに対して過剰なストレスのかかる曲げを強いることなく嵌め込むことができるから、コードの曲がり部分に発熱や断線が生じることがない。
【００２６】
複数のコードをこれらの溝部に嵌め込む際には、まず、深い方の直線溝部３に対してコード１００を嵌め込んだ後、浅い方の螺旋溝部３に対してコード２００を巻きつける。このとき、コード２００は、溝部２，３の交差部分４においてコード１００を外側から被うようにして立体交差する。直線溝部２に嵌め込まれるコード１００は、外側への力が生じると外れるが、外側の螺旋溝部に嵌め込まれたコード２００に巻きつけられた状態となることで、外側に外れなくなる。他方、外側の螺旋溝部３に嵌め込まれるコード２００は、螺旋状に巻きつけられた状態であるため、そのままの状態で外側への力が作用したとしても外れ難い。従って、上記のように直線溝部２と螺旋溝部３との双方にコードを嵌め込んで使用することで、双方のコードを確実に固定し、室内等に配置することが可能となっている。
【００２７】
以下、本発明における上記第一実施例とは異なる実施例について説明する。本発明のコード整理具は、直線溝部２を外周表面１ａの外周周りに等間隔に奇数個備えることができる。図６に示すコード整理具１１は本発明の第二実施例であり、直線溝部２が外周表面１ｃの周方向に等間隔に７本形成されている。このように直線溝部２が奇数個設けられると、直線溝部２を余すことなく全て使用した場合、直線溝部２の上端側開口２ａから嵌め込まれたコードの末端は下端側開口２ａから出てくるため、吊り下げ式で使用する場合に適する。コードの末端が直線溝部２の上端側開口２ａから出るように収納されると、そのコードの末端がコード整理具の外周表面１ｃの一部を被う形で垂れ下がってくるため、外周表面１ｃに表れる溝模様の一部を隠して意匠性を損なう可能性がある。また、この場合、上端側開口２ａから出てくるコードの末端は、コードの自身の重さによって下方に折り曲げられるため、場合によっては折り曲げ部分に過度のストレスがかかる可能性もある。
【００２８】
また、本発明のコード整理具は、交差する別の溝部を追加して形成して、収納可能なコードの本数を増やしてもよい。具体的には、上記実施例の直線溝部及び螺旋溝部（第一の螺旋溝部）に加えて、もう一つの螺旋溝部（第二の螺旋溝部）を設けることができる。図７及び図８は、本発明の第三実施例及び第四実施例であり、直線溝部２（図７では４本、図８では７本）と、第一の螺旋溝部３と、第一の螺旋溝３とは逆周りに螺旋する第二の螺旋溝部３０とを備えるコード整理具１２，１３の斜視図である。このコード整理具１２，１３の溝部２，３，３０は、第二の螺旋溝部３０、第一の螺旋溝部３、及び直線溝部２の順で段階的に深くなるように互いの溝の深さが異なって形成されており、互いの溝の深さの差が、少なくとも嵌め込まれる電気コードの厚みより大きくなるように形成されている。具体的には、第二の螺旋溝部３０と第一の螺旋溝部３の深さの差、及び第一の螺旋溝部３と直線溝部２の深さの差が、嵌め込まれる電気コードの厚みより大きくなるように形成されている。また、溝部２，３，３０は、互いの溝が交差する交差部分が形成されており、具体的には、溝部２，３が交差する交差部分５、溝部２，３０が交差する交差部分６、溝部２，３，３０が交差する交差部分７と、及び図には表れない溝部３，３０が交差する交差部分８とが形成されている。
【００２９】
図１０、図１１、及び図１２は、図８に示すコード整理具１３の断面形状を示すものであり、図１０は、図９のＣ−Ｃ断面拡大図、図１１は図９のＤ−Ｄ断面拡大図、図１２は図１１とは異なる角度で縦方向に切断した垂直断面図である。なお、図９は、図８のコード整理具１３の平面図及び正面図である。図１０に示すコード整理具の水平断面図は、図３の水平断面図と比べると、直線溝部２の形状と、螺旋溝部３０が形成されている点とで異なる。直線溝部２の断面形状は、図３に比べると、コード収納部２ｅと、コード嵌込口部２ｆと、コード固定部（ストッパー部）２ｄとを有する点で同様であるが、コード収納部２ｅが円柱状構造体１のより深い位置（より円柱の中心軸側に近い位置）に形成され、そのコード収納部２ｅにコードを収納するための通路となるコード嵌込口部２ｆが図３よりも長く形成されている点で異なる。図１１に示すコード整理具の垂直断面図は、直線溝部２については図４と同様に表れるが、螺旋溝部３０が追加されている点で、その断面形状が異なっている。本実施例では、図１１に示すように、第一の螺旋溝部３の断面形状が図４の螺旋溝部３と同様に形成されるとともに、それよりも深い位置（より円柱の中心軸側に近い位置）に第二の溝部３０が形成されており、図４と比べるとその断面形状が大きく異なっている。図１２には、それら第一の断面図と第二の断面図の断面形状が分かり易く表れている垂直断面図を示しており、これらの図から明らかなように、第一の螺旋溝部３と第二の螺旋溝部３０は、双方にコードを収納するコード収納部３ｅ，３０ｅと、コード収納部３ｅ，３０ｅに嵌め込まれたコードが外側に外れないように固定するコード固定部（ストッパー部）３ｄ，３０ｄとが設けられるとともに、第二の螺旋溝部３０には、円柱状構造体１の外側からコード収納部３０ｅにコードを収納するための通路となるコード嵌込口部３０ｆが設けられている。
【００３０】
図１２は、図８に示す実施例のコード整理具１３の使用状態を説明する図である。コード整理具１３は、各溝部２，３，３０に対して、この順でコードを嵌め込んで使用する。直線溝部２及び螺旋溝部３へのコード１００，２００の嵌め込みは、上記のコード整理具１０とほぼ同様であるが、直線溝部２に関しては、コード嵌込口部２ｆの距離が長くなっており、コード嵌込口部２ｆに嵌め入れたコード１００をより奥にあるコード収納部２ｅまで押し込んで収納しなければならない点で異なる。第二の螺旋溝部３０へのコード３００の嵌め込みは、コード嵌込口部３０ｆを有するため、このコード嵌込口部３０ｆに嵌め入れたコード３００をより奥にあるコード収納部３０ｅに押し込む形で収納する。なお、コード１００，２００，３００は、直線溝部２、第二の螺旋溝部３０、第一の螺旋溝部３のうち、深い溝から順に嵌め込まれる。
【００３１】
なお、図８のコード整理具１３では、螺旋溝部３，３０の長さが双方で同じとされているが、これを異なるように形成することができる。これにより、コードの余剰部分の長さに応じて螺旋溝部を使い分けることが可能となる。
【００３２】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【００３３】
例えば、立体構造体１は、柱状構造体として多角柱のものや図１４のような円錐台状のものとし、その外周側面に上記のような溝部を形成するようにしてもよい。図１４に示すコード整理具１４は、立体構造体１´が円錐代形状をなしており、上面１ａに対して下面１ｂの面積が広いため、床に対して立てて使用するのに適する形状となっている。図１４においては、床設置仕様を想定しており、縦溝が使用されず、螺旋溝のみで形成されている。
【００３４】
図１５、図１６、及び図１７に示すコード整理具１５は、上記実施例のように、溝部３´、３０´が立体構造体１の上面１ａから下面１ｂにかけて一続きに連続しておらず、螺旋状をなして断続的に連続形成され、溝部３´、３０´とによる交差部分８´が形成されている。この場合、溝加工が少なくてすむため、コスト面において利点がある。また、溝によって形成される模様も独特なものとなるため、意匠面の特徴も有する。
【００３５】
また、本発明のコード整理具は、複数形成される溝部のうち、深さの異なる溝部が交差する部分が形成されていればよい。ただし、上記実施例からも分かるように、複数の溝部の中には、互いに交差することがない溝部が存在する。例えば、上記実施例における直線溝部個々は、互いに交差することはない。こうした互いに交差しない溝部同士は、形状の違いに係わらず同じ深さに形成することができる。これにより、複数の溝を設けた場合に、極端に深い溝を形成することを防ぐことができる。
【００３６】
また、ストッパー部２ｄ、３ｄ、３０ｄは、上記の形状に限られるものではなく、少なくとも嵌め込まれたコードが溝部のコード収納部から用意に脱落することが無いような構造となっていればよい。例えば、コードは、溝部の上端側と下端側で固定されれば、安定して固定されるので、溝部の上端側と下端側にストッパー部が形成されるような形態であってもよい。
【図面の簡単な説明】
【００３７】
【図１】本発明のコード整理具の第一実施例を示す斜視図。
【図２】図１のコード整理具の正面図及び平面図。
【図３】図２のＡ−Ａ断面図。
【図４】図２のＢ−Ｂ断面図。
【図５】図１のコード整理具の使用状態を説明する図。
【図６】本発明のコード整理具の第二実施例を示す斜視図。
【図７】本発明のコード整理具の第三実施例を示す斜視図。
【図８】本発明のコード整理具の第四実施例を示す斜視図。
【図９】図８のコード整理具の正面図及び平面図。
【図１０】図９のＣ−Ｃ断面図。
【図１１】図９のＤ−Ｄ断面図。
【図１２】図９とは異なる角度で切断した垂直断面図。
【図１３】図８のコード整理具の使用状態を説明する図。
【図１４】本発明のコード整理具の第五実施例を示す斜視図。
【図１５】本発明のコード整理具の第六実施例を示す斜視図。
【図１６】図１４コード整理具の正面図。
【図１７】図１４コード整理具の側面図。
【符号の説明】
【００３８】
１０，１１，１２，１３，１４，１５  コード整理具
１，１´  立体構造体
１ａ  上面（第一側端部）
１ｂ  下面（第二側端部）
１ｃ  外周表面
２  直線溝部
３  螺旋溝部
３０  螺旋溝部
４，５，６，７，８  交差部分
２ｄ、３ｄ、３０ｄ  ストッパー部
２ｅ、３ｅ、３０ｅ  コード収納部
２ｆ、３０ｆ  コード嵌込口部
【図１】
2007131367.tif 000003
【図２】
2007131367.tif 000004
【図３】
2007131367.tif 000005
【図４】
2007131367.tif 000006
【図５】
2007131367.tif 000007
【図６】
2007131367.tif 000008
【図７】
2007131367.tif 000009
【図８】
2007131367.tif 000010
【図９】
2007131367.tif 000011
【図１０】
2007131367.tif 000012
【図１１】
2007131367.tif 000013
【図１２】
2007131367.tif 000014
【図１３】
2007131367.tif 000015
【図１４】
2007131367.tif 000016
【図１５】
2007131367.tif 000017
【図１６】
2007131367.tif 000018
【図１７】
2007131367.tif 000019